(57)【要約】【課題】簡単な操作によって文字や点字等が表示されたテープを作成可能なテープ作成装置を提供する。【解決手段】制御部４０には、音声入力部５５から入力されたデジタル信号に基づいて、ユーザの発話内容の認識を行う音声認識部４１が備えられている。音声認識部４１は、主にＣＰＵと、音声認識用処理プログラムや音声認識用辞書データを記憶するＲＯＭと、入力される音声信号を一時記憶するＲＡＭとによって構成されており、音声入力部５５からの入力信号に基づいて、音声認識用辞書データに登録されている基本パターンとマッチングさせることにより発話内容を認識し、認識した発話内容を表すテキストデータ（文字コード列）を生成する。【選択図】図５
2007196470.tif 000002
【特許請求の範囲】
【請求項１】
音声入力部により入力された音声を認識する音声認識部と、
前記音声認識部による認識結果に基づいた表示データを生成する表示データ生成部と、
前記表示データに基づいて、テープに画像及び点字の少なくとも一方を記録する記録部と、
を備えたことを特徴とするテープ作成装置。
【請求項２】
請求項１に記載のテープ作成装置であって、
前記音声認識部による認識結果に基づいた音声信号を生成する音声生成部と、
前記音声生成部で生成された前記音声信号に基づいて音声を発する音声出力部と、
を備えたことを特徴とするテープ作成装置。
【請求項３】
請求項１又は２に記載のテープ作成装置であって、
前記音声入力部による音声入力を促すための音声データを記憶するとともに、当該音声データに基づいた音声を前記音声出力部に発声させる音声案内部を備えたことを特徴とするテープ作成装置。
【請求項４】
請求項１〜３のいずれか１項に記載のテープ作成装置であって、輪郭が異なる複数のキーを含む操作部を備えたことを特徴とするテープ作成装置。
【発明の詳細な説明】
【技術分野】
【０００１】
本発明は、画像や点字が表示されたテープを作成するテープ作成装置に関する。
【背景技術】
【０００２】
テープに文字等の画像を印刷するテープ作成装置に、点字表示を行うための打刻手段を備え、画像とともに、或いは画像の代わりに点字を表示（記録）可能とするテープ作成装置が提案されている（例えば、特許文献１参照）。このようなテープ作成装置を用いることにより、晴眼者のみならず、視覚障害者に対してもテープを用いた情報提供を行うことが可能になっている。
【０００３】
【特許文献１】特開２００５−２９２６１６号公報
【発明の開示】
【発明が解決しようとする課題】
【０００４】
しかしながら、特許文献１に示したテープ作成装置は、表示内容をキーボードから入力しなければならず、視覚障害者が操作することを考慮したものではなかった。一方、前記テープ作成装置を、点字キーボードを備えたＰＣ（パーソナルコンピュータ）に接続するとともに、入力操作等を音声によってＰＣに案内させるプログラムを用いることにより、視覚障害者による入力操作を可能とすることができる。しかしながら、ＰＣを用いる方法は、ＰＣの近傍でしか作業ができないうえ、ＰＣに不慣れなユーザにとっては簡便な方法であるとは言えず、さらなる利便性の向上が望まれている。
【０００５】
本発明は上記問題を鑑みてなされたものであり、その目的は、簡単な操作によって文字や点字等が表示されたテープを作成可能なテープ作成装置を提供することにある。
【課題を解決するための手段】
【０００６】
本発明のテープ作成装置は、音声入力部により入力された音声を認識する音声認識部と、前記音声認識部による認識結果に基づいた表示データを生成する表示データ生成部と、前記表示データに基づいて、テープに画像及び点字の少なくとも一方を記録する記録部とを備えたことを特徴とする。
【０００７】
このテープ作成装置によれば、テープに表示させたい内容を、音声により入力することが可能となるため、キーを用いた入力操作を低減することが可能となり、テープの作成を容易に行うことが可能となる。
【０００８】
このテープ作成装置において、前記音声認識部による認識結果に基づいた音声信号を生成する音声生成部と、前記音声生成部で生成された前記音声信号に基づいて音声を発する音声出力部とを備えることが望ましい。
【０００９】
このテープ作成装置によれば、音声出力部が、音声認識部の認識結果に基づく音声を発することにより、入力された音声を復唱することになるため、ユーザは、認識結果等を表示する表示手段を見なくても、或いは、このような表示手段の有無に拘わらず、入力した音声が正確に認識されているか否かを知ることが可能となる。
【００１０】
このテープ作成装置において、前記音声入力部による音声入力を促すための音声データを記憶するとともに、当該音声データに基づいた音声を前記音声出力部に発声させる音声案内部を備えることが望ましい。
【００１１】
このテープ作成装置によれば、音声入力を促す音声を発するため、ユーザは、メッセージ等を表示する表示手段を見なくても、或いは、このような表示手段の有無に拘わらず、音声入力すべきタイミングを知ることが可能となる。
【００１２】
このテープ作成装置において、輪郭が異なる複数のキーを含む操作部を備えることが望ましい。
【００１３】
このテープ作成装置によれば、操作部を備えるため、音声入力を補助する入力操作が可能となる。また、この操作部が輪郭の異なる複数のキーを備えているため、キーを見なくてもキーを識別することが可能となり、テープの作成を容易に行うことが可能となる。
【発明を実施するための最良の形態】
【００１４】
以下、本発明の実施形態に係るテープ作成装置について、図面を参照して説明する。本実施形態のテープ作成装置は、テープに点字を記録するためのものであり、点字に添えて、文字（墨字）や図形等の画像を印刷することも可能になっている。
【００１５】
まず、図１及び図２を参照して本実施形態のテープ作成装置の構成について説明する。
図１及び図２は、本実施形態のテープ作成装置の概略構成を示す斜視図である。
両図に示すように、テープ作成装置１は、筐体１０で覆われた構成になっており、筐体１０の上面に、電源スイッチ１１と、入力操作を行うための操作部１２とを備えている。操作部１２は、輪郭が異なる２つのキーからなり、表面に「ハイ」を表す文字及び点字が表示された円形の肯定キー１２ｙと、表面に「イイエ」を表す文字及び点字が表示された略三角形の否定キー１２ｎとを含んでいる。
【００１６】
また、後述するように、筐体１０の内部には、音声を取り込むマイクロホン、及び音声を発するスピーカが配設されており、筐体１０の上面には、これらの音声を遮らないように、マイクロホンに音声を取り込むための貫通孔１０ａと、スピーカからの音声を外部に通すための貫通孔１０ｂとが備えられている。
【００１７】
筐体１０の上面奥側には、テープカートリッジ２を装着するための凹部１３が配設されている。凹部１３の開口部上には、開閉蓋１４が開閉可能に備えられており、開閉蓋１４を開放状態にすることで、テープカートリッジ２を着脱することが可能となっている。また、開閉蓋１４には、略透明な確認窓１４ａが備えられており、凹部１３にテープカートリッジ２が装着されているか否かを外部から視認可能になっている。凹部１３の底面には、凸状のサーマルヘッド１５や、搬送機構１６を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、回転軸１６ａ，１６ｂがそれぞれテープカートリッジ２の被駆動部２２ａ，２２ｂと係合するようになっている。
【００１８】
テープカートリッジ２は、カートリッジケース２０の内部に、ともに帯状のテープＴとインクリボンＲとを内蔵している。テープＴは、ＰＥＴ（ポリエチレンテレフタレート）等からなる基材の裏面に接着剤層が形成され、それが剥離紙によって覆われた構成になっている。テープ作成装置１は、テープＴの幅が異なる複数種類のテープカートリッジ２に対応可能になっており、ユーザは、用途や好みに応じたテープカートリッジ２を使用することができる。なお、テープカートリッジ２の裏面には、内蔵するテープＴの幅を識別するための複数の孔（図示せず）が設けられており、テープ作成装置１は、凹部１３の底面に備えられたマイクロスイッチ等の識別センサ１９（図５参照）によって、装着されたテープカートリッジ２のテープ幅を識別可能になっている。
【００１９】
テープカートリッジ２を凹部１３に装着すると、テープＴの表面は、ヘッド嵌合部２１において、インクリボンＲを介してサーマルヘッド１５と対向するようになっており、サーマルヘッド１５を発熱駆動することにより、指定された画像をテープＴの表面に印刷することができる。また、この状態で回転軸１６ａ，１６ｂを回転駆動させると、テープＴとインクリボンＲは搬送されて、テープＴはカートリッジケース２０の外部に排出され、インクリボンＲはカートリッジケース２０の内部で巻き取られる。
【００２０】
カートリッジケース２０から排出されたテープＴは、打刻部３０に送られる。打刻部３０は、テープＴに対して仮名文字や数字等を表す６点点字を打刻するためのものであり、テープＴが通過するための隙間を隔てて、テープＴの裏面側（剥離紙側）に打刻部本体３１が、テープＴの表面側（基材側）に打刻受け部３２が対向して備えられている。
【００２１】
ここで、打刻部３０、及び打刻部３０によって打刻される６点点字について、図面を参照して説明する。
図３は、６点点字を説明するための説明図である。
図３に示すように、６点点字は、６個（縦３個×横２個）の打刻ポイントＡで１マスが構成され、各打刻ポイントＡにおける点（打刻凸部Ｐ）の有無によって、１マスで１文字（或いは濁音や拗音等を表すための属性）を表現することができる。各打刻ポイントＡに形成される打刻凸部Ｐのピッチ（中心間距離）は、縦が約２．４ｍｍ、横が約２．１ｍｍであり、マス間のピッチ（隣接する打刻凸部Ｐ同士の中心間距離）は約３．３ｍｍである。なお、６点点字のほかに、漢字等を表現可能な８点点字等、他の方式の点字を打刻可能な構成としてもよい。
【００２２】
図４は、打刻部３０を示す図であり、図４（ａ）は、打刻受け部３２側から見た正面図、図４（ｂ）は、テープＴの送り方向下流側から見た側面図である。なお、図４（ａ）において、打刻受け部３２の図示は省略している。
図４（ａ）、（ｂ）に示すように、打刻部本体３１には、テープ幅方向（上下方向）に沿って、２．４ｍｍの間隔で配列された３本の打刻ピン３３を備えている。各打刻ピン３３は、１マス（６個）の打刻ポイントＡのうち縦１列（３個）の打刻ポイントに対応しており、ソレノイド３４を駆動源とした直線運動をガイドするガイド部材３５によって、テープＴに対し垂直に保持されている。打刻ピン３３の頭部３３ａは、テープＴに形成される打刻凸部Ｐの形状が略半球状になるように、同様の形状（略半球状）に形成されている。
【００２３】
各打刻ピン３３の尾部には、アーム部材３６の一端が半固定的に接続している。アーム部材３６には、その他端にソレノイド３４のプランジャ３７の先端部が回動可能に接続されているとともに、その中間部を回動自在に支持する支持部材３８が設けられている。また、ソレノイド３４のプランジャ３７は、打刻ピン３３と略平行に配設されており、ソレノイド３４によりプランジャ３７が直線運動を行うと、アーム部材３６が支持部材３８を支点として回動し、打刻ピン３３がテープＴに対し垂直方向に直線運動を行う。なお、３つのアーム部材３６のうち、両端の打刻ピン３３を駆動するアーム部材３６は、それぞれテープ幅方向に向かって互いに離反するように（上下方向に）延在し、中間の打刻ピン３３を駆動するアーム部材３６は、テープＴの送り方向に沿って延在している。
【００２４】
一方、打刻受け部３２には、打刻ピン３３の頭部３３ａと対向する面３２ａに、各打刻ピン３３に対応する３個の凹部３９が形成されている。なお、凹部３９を形成する代わりに、面３２ａを合成ゴム等の弾性材で構成した平坦な面としてもよい。
【００２５】
打刻部３０は、打刻ピン３３と打刻受け部３２とにより、テープＴに打刻凸部Ｐを形成する。すなわち、後述する制御部４０からの点字データに対応して、ソレノイド３４が励磁してプランジャ３７が吸引されると、打刻ピン３３がガイド部材３５に案内されて点字テープＴに対して垂直方向に進み、点字テープＴを挟んで対応する凹部３９に突き当たり、テープＴに打刻凸部Ｐを打刻する。搬送機構１６によってテープＴを２．１ｍｍ送った後、再び上記の打刻動作を行うことにより、１マス分の点字が記録され、さらに３．３ｍｍ送ることにより、後続するマスの打刻を行うことができる。
【００２６】
図２に戻って、筐体１０の側面には、打刻部３０と筐体１０の外部とを連通するスリット１７が設けられており、打刻部３０から送られる打刻済みのテープＴは、スリット１７を通って筐体１０の外部に向けて搬送される。筐体１０の内部には、スリット１７を囲むようにカッタユニット１８が配設されており、カッタユニット１８が備えるはさみ状のカッタ（図示せず）によって、スリット１７の内部を横断するテープＴを切断することができる。このカッタユニット１８による切断によって、テープＴの打刻済みの部位がテープ片（ラベル）として切り離され、スリット１７の開口部から排出される。
【００２７】
図５は、テープ作成装置１の回路構成を示すブロック図である。
図５に示すように、テープ作成装置１は、前述した操作部１２、サーマルヘッド１５、回転軸１６ａ，１６ｂを含む搬送機構１６、カッタユニット１８、識別センサ１９、打刻部３０に加えて、テープ作成装置１の動作を統括制御する制御部４０と、サーマルヘッド１５を発熱駆動するヘッド駆動部５１と、搬送機構１６を駆動する搬送駆動部５２と、カッタユニット１８を駆動するカッタ駆動部５３と、打刻部３０（ソレノイド３４）を駆動する打刻駆動部５４と、ユーザが発した音声をデジタル信号に変換する音声入力部５５と、デジタルの音声信号を音声として出力する音声出力部５６とを備えている。
【００２８】
制御部４０は、ＣＰＵ（Central Processing Unit）、ＲＯＭ（Read Only Memory）、ＲＡＭ（Random Access Memory）、ＣＧＲＯＭ（キャラクタジェネレータＲＯＭ）、入力インターフェイス、出力インターフェイス（いずれも図示せず）等からなり、ＲＯＭに記憶されている制御プログラムに従って、テープ作成装置１の各種動作を司るコンピュータとして機能する。
【００２９】
ヘッド駆動部５１、搬送駆動部５２、カッタ駆動部５３、及び打刻駆動部５４は、制御部４０に接続されており、制御部４０から出力される制御信号に基づいて前記各部１５，１６，１８，３０をそれぞれ駆動する。また、操作部１２は、ユーザの入力操作に応じた操作信号を制御部４０に出力し、識別センサ１９は、装着されたテープカートリッジ２のテープ幅を識別可能な識別信号を制御部４０に出力する。
【００３０】
音声入力部５５は、マイクロホン、増幅器、ローパスフィルタ、Ａ／Ｄ変換器（いずれも図示せず）等で構成され、マイクロホンに入力された音声（ユーザが発した音声）を、増幅器やローパスフィルタを通して適当な音声波形とした後、Ａ／Ｄ変換器によりデジタル信号に変換して制御部４０に出力する。
【００３１】
制御部４０には、音声入力部５５から入力されたデジタル信号に基づいて、ユーザの発話内容の認識を行う音声認識部４１が備えられている。音声認識部４１は、主にＣＰＵと、音声認識用処理プログラムや音声認識用辞書データを記憶するＲＯＭと、入力される音声信号を一時記憶するＲＡＭとによって構成されており、音声入力部５５からの入力信号に基づいて、音声認識用辞書データに登録されている基本パターンとマッチングさせることにより発話内容を認識し、認識した発話内容を表すテキストデータ（文字コード列）を生成する。
【００３２】
また、制御部４０には、テキストデータからデジタルの音声信号を生成する音声生成部４２が備えられている。音声生成部４２は、主にＣＰＵと、音声生成用処理プログラムや音声生成用辞書データを記憶するＲＯＭとによって構成されており、音声生成用辞書データに登録されている音節毎の音声データを組み合わせ、テキストデータに基づく音声信号を生成する。音声生成部４２によって生成された音声信号は、制御部４０の制御に基づいて音声出力部５６に出力される。
【００３３】
さらに、制御部４０には、音声入力やキー操作等をユーザに案内するための音声案内部４３が備えられている。音声案内部４３は、主にＣＰＵと、音声案内を行うための複数パターンの音声データ（音声案内データ）を記憶するＲＯＭとによって構成されており、複数の音声案内データの中から所定の１つを音声出力部５６に出力する。
【００３４】
音声出力部５６は、Ｄ／Ａ変換器、増幅器、スピーカ（いずれも図示せず）等で構成され、音声生成部４２から入力された音声信号、或いは音声案内部４３から入力された音声案内データに基づいて、スピーカから音声を発する。
【００３５】
テープ作成装置１は、上記のような構成を有しており、制御部４０は、音声入力部５５に入力された音声（ユーザが発した音声）を音声認識部４１で認識し、認識結果に基づくテキストデータを生成する。さらに、生成したテキストデータから、音声生成部４２によって音声データを生成し、テキストデータに基づく音声を音声出力部５６から発することにより、ユーザに認識結果を確認させる。この結果、音声認識が正しく行われていたならば、制御部４０は、ＲＯＭに記憶されている点字生成用処理プログラムに基づいて、テキストデータから６点点字を表す点字データを生成し、これを打刻駆動部５４に出力する。打刻駆動部５４がこの点字データに基づいて打刻部３０を駆動することにより、テープＴに点字を形成する。また、制御部４０は、ＣＧＲＯＭを参照して、生成したテキストデータに応じた画像データ（ドットデータ）を形成し、これをヘッド駆動部５１に出力することにより、サーマルヘッド１５を駆動させ、画像データに応じた画像（文字等）をテープＴに印刷することもできる。なお、制御部４０は、サーマルヘッド１５による印刷や、打刻部３０による打刻を行う際には、搬送駆動部５２に指示をして搬送機構１６を駆動させ、テープＴを必要な量だけ送りながら、これらの処理を行う。テープＴに対する打刻や印刷が終了すると、制御部４０は、カッタ駆動部５３に指示をしてカッタユニット１８を駆動させ、テープＴを切断する。
【００３６】
なお、前記点字データ及び画像データは、本発明の表示データに相当し、音声認識部４１による認識結果（テキストデータ）に基づいて、これらの表示データを生成する制御部４０は、本発明の表示データ生成部として機能することになる。また、画像データに基づいてテープに画像を印刷するヘッド駆動部５１及びサーマルヘッド、並びに点字データに基づいてテープに点字を打刻する打刻駆動部５４及び打刻部３０、さらに、印刷や打刻を行うためにテープを搬送する搬送駆動部５２及び搬送機構１６が、本発明の記録部に相当する。
【００３７】
ここで、上述したテープ作成装置１の動作について、フローチャートを参照して詳細に説明する。
図６は、テープ作成装置１の動作を説明するフローチャートであり、ラベルに記録させる表示内容の入力と、その記録に関する動作のフローを示している。
ユーザにより電源スイッチ１１がオン操作されて、各部に電源電圧が供給されると、制御部４０は、ＲＯＭに記憶されている制御プログラムに従ってテープ作成装置１の各部の初期化及び制御を開始し、図６に示すフローに従って動作する。
【００３８】
まず、ステップＳ１０１では、制御部４０は、音声案内部４３によって音声案内データの１つを音声出力部５６に出力し、音声出力部５６から「ラベルを作成しますか？」という案内を発声させる。
【００３９】
ステップＳ１０２では、制御部４０は、操作部１２からの操作信号に基づいて、ユーザが上記音声案内に応じて肯定キー１２ｙを操作したか否かを判断する。なお、図示は省略しているが、本ステップでは、肯定キー１２ｙの操作の有無の判断に加え、否定キー１２ｎの操作の有無、及び、いずれのキーも操作されないまま所定時間が経過したか否かの判断も行っている（以降のステップＳ１１０，Ｓ１１２，Ｓ１１６も同様）。この結果、肯定キー１２ｙが操作された場合には、ステップＳ１０３に移行し、否定キー１２ｎが操作されるか、或いはいずれのキー操作もなされないまま所定時間が経過した場合には、ステップＳ１１７に移行して、処理を終了する。
【００４０】
肯定キー１２ｙが操作されてステップＳ１０３に移行した場合には、制御部４０は、音声案内部４３によって音声案内データの１つを音声出力部５６に出力し、音声出力部５６から「ラベルにしたい言葉をゆっくりと発音してください。発音終了後、”ハイ”キーを押してください。」という案内を発声させ、ステップＳ１０４に移行する。この音声案内に従ってユーザが言葉を発すると、この音声は、音声入力部５５によってデジタルの音声信号に変換されて音声認識部４１に入力される。
【００４１】
ステップＳ１０４では、音声認識部４１により、入力される音声信号の一時記憶（制御部４０のＲＡＭへの記憶）を開始し、ステップＳ１０５では、ユーザの発音が終了して肯定キー１２ｙが操作されたか否かを判断する。肯定キー１２ｙが操作されるまで当該ステップＳ１０５を繰り返し、肯定キー１２ｙが操作されるとステップＳ１０６に移行して、音声信号の一時記憶を終了する。なお、図示は省略しているが、ステップＳ１０４の後に、否定キー１２ｎが操作された場合には、それまでに一時記憶された音声信号をクリアしてステップＳ１０３に戻り、発音を再度やり直せるようにしてもよい。
【００４２】
ステップＳ１０７では、音声認識部４１が、ＲＡＭに一時記憶された音声信号を読み出して音声認識を行い、音声信号に基づいたテキストデータを生成する。
【００４３】
ステップＳ１０８では、音声生成部４２が、音声認識部４１による認識結果、即ち生成されたテキストデータに基づいて、音声生成用辞書データに登録されている音節毎の音声データを組み合わせた音声信号を生成し、音声出力部５６から音声として出力する。ユーザは、この音声を聴くことにより、自己が発した言葉が正しく認識されたか否かを確認することができる。
【００４４】
ステップＳ１０９では、制御部４０は、音声案内部４３によって音声案内データの１つを音声出力部５６に出力して、音声出力部５６から「この内容でラベルを作成してよろしいですか？」という案内を発声させ、ステップＳ１１０では、ユーザが上記音声案内に応じて肯定キー１２ｙを操作したか否かを判断する。肯定キー１２ｙが操作された場合には、ステップＳ１１１に移行し、否定キー１２ｎが操作されるか、或いはいずれのキー操作もなされないまま所定時間が経過した場合には、ステップＳ１０３に戻り、音声入力動作をやり直す。
【００４５】
ステップＳ１１１では、制御部４０は、音声案内部４３によって音声案内データの１つを音声出力部５６に出力して、音声出力部５６から「墨字を併記しますか？」という案内を発声させ、ステップＳ１１２では、ユーザが上記音声案内に応じて肯定キー１２ｙを操作したか否かを判断する。肯定キー１２ｙが操作された場合には、ステップＳ１１３に移行し、否定キー１２ｎが操作されるか、或いはいずれのキー操作もなされないまま所定時間が経過した場合には、ステップＳ１１４に移行する。
【００４６】
肯定キー１２ｙが操作され、ステップＳ１１３に移行した場合には、制御部４０は、ヘッド駆動部５１、打刻駆動部５４、及び搬送駆動部５２に指示をして、音声認識部４１で生成されたテキストデータに基づく画像（墨字）をテープＴに印刷するとともに、当該テキストデータ基づく点字をテープＴに記録する。なお、墨字と点字とは、縦又は横に並べて併記するようにしてもよいし、両者が重なるように記録してもよい。また、ユーザにこれらの併記方法を選択させたり、識別センサ１９で検出されるテープ幅に応じて併記方法を定めたりすることも可能である。
【００４７】
一方、ステップＳ１１４に移行した場合には、制御部４０は、打刻駆動部５４、及び搬送駆動部５２に指示をして、音声認識部４１で生成されたテキストデータに基づく点字をテープＴに記録し、墨字の印刷は行わない。なお、図示は省略しているが、ステップＳ１１３及びステップＳ１１４の後に、制御部４０がカッタ駆動部５３に指示をして、カッタユニット１８によるテープの切断を行うことにより、ユーザが発した言葉が点字や墨字として表示されたラベルが切り落とされる。
【００４８】
ステップＳ１１５では、制御部４０は、音声案内部４３によって音声案内データの１つを音声出力部５６に出力し、音声出力部５６から「引き続きラベルを作成しますか？」という案内を発声させ、ステップＳ１１６では、ユーザが上記音声案内に応じて肯定キー１２ｙを操作したか否かを判断する。肯定キー１２ｙが操作された場合には、ステップＳ１０３に移行して再度音声入力動作を行い、否定キー１２ｎが操作されるか、或いはいずれのキー操作もなされないまま所定時間が経過した場合には、ステップＳ１１７に移行する。
【００４９】
ステップＳ１１７では、制御部４０が適宜終了処理を行った後、各部への電源電圧の供給を停止して、処理が終了する。
【００５０】
以上説明したように、本実施形態のテープ作成装置１によれば、以下の効果を得ることができる。
（１）本実施形態のテープ作成装置１によれば、点字又は墨字としてテープに表示させたい内容を、音声により入力することが可能となるため、キーを用いた文字入力操作を行うことなくテープを作成することが可能となり、テープの作成が容易になる。
【００５１】
（２）本実施形態のテープ作成装置１によれば、音声出力部５６が、音声認識部４１の認識結果に基づく音声を発することにより、入力された音声を復唱するため、ユーザは、認識結果等を表示する表示手段がなくとも、入力した音声が正確に認識されているか否かを知ることが可能となる。
【００５２】
（３）本実施形態のテープ作成装置１によれば、音声案内部４３及び音声出力部５６によって、ユーザに音声入力を促したり、入力結果を確認させたりするための音声案内を発声するため、ユーザは、メッセージ等を表示する表示手段がなくとも、適切なタイミングで適切な操作を行うことが可能となる。
【００５３】
（４）本実施形態のテープ作成装置１によれば、操作部１２を備えているため、音声入力を補助する入力操作が可能となる。また、操作部１２が備えるキーの数を２つに限定しているうえ、各キー上に点字を表示しているため、視覚障害者でも容易にキー操作を行うことが可能となる。
【００５４】
（５）本実施形態のテープ作成装置１によれば、操作部１２が備えるキーの輪郭がキー毎に異なっているため、キーを見なくても、或いは、キー上に表示されている文字や点字を認識しなくても、キーを識別することが可能となり、テープの作成を容易に行うことが可能となる。
【００５５】
（変形例）
なお、本発明の実施形態は、以下のように変更してもよい。
前記実施形態では、点字に加えて墨字を併記可能な構成を示しているが、点字のみを記録可能な構成とすることもできる。なお、前記実施形態のテープ作成装置は、視覚障害者のみならず、晴眼者にとっても容易な操作でラベルを作成することが可能となるため、墨字（画像）のみを印刷する構成としてもよい。
【００５６】
前記実施形態では、サーマルヘッドを発熱駆動することにより画像を印刷する構成を示しているが、インクジェット方式等、他の印刷方式を用いてもよい。また、打刻部３０は、ソレノイド３４を駆動源とする構成に限られず、モータ等、他の駆動源を用いるようにしてもよい。
【００５７】
前記実施形態では、操作部１２を用いたキー操作を要する構成を示しているが、ユーザに「はい」や「いいえ」等の音声を発声させ、これを認識することで、キー操作を不要とする構成としてもよい。
【００５８】
前記実施形態において、音声認識部４１に学習機能を備え、特定のユーザの音声のみを認識可能とすることにより、雑音等の影響を抑制し、認識率を向上させるようにしてもよい。
【図面の簡単な説明】
【００５９】
【図１】実施形態に係るテープ作成装置の概略構成を示す斜視図。
【図２】実施形態に係るテープ作成装置の概略構成を示す斜視図。
【図３】６点点字を説明するための説明図。
【図４】打刻部を示す図であり、（ａ）は、その正面図、（ｂ）は、その側面図。
【図５】テープ作成装置の回路構成を示すブロック図。
【図６】テープ作成装置の動作を説明するフローチャート。
【符号の説明】
【００６０】
１…テープ作成装置、２…テープカートリッジ、１０…筐体、１１…電源スイッチ、１２…操作部、１３…凹部、１４…開閉蓋、１５…サーマルヘッド、１６…搬送機構、１７…スリット、１８…カッタユニット、１９…識別センサ、２０…カートリッジケース、２１…ヘッド嵌合部、３０…打刻部、３１…打刻部本体、３２…打刻受け部、３３…打刻ピン、３４…ソレノイド、３５…ガイド部材、３６…アーム部材、３７…プランジャ、３８…支持部材、３９…凹部、４０…制御部、４１…音声認識部、４２…音声生成部、４３…音声案内部、５１…ヘッド駆動部、５２…搬送駆動部、５３…カッタ駆動部、５４…打刻駆動部、５５…音声入力部、５６…音声出力部。
【図１】
2007196470.tif 000003
【図２】
2007196470.tif 000004
【図３】
2007196470.tif 000005
【図４】
2007196470.tif 000006
【図５】
2007196470.tif 000007
【図６】
2007196470.tif 000008